(57)【要約】【課題】薄型テレビジョン受像機などに用いられる平面ディスプレイにおいて、テーブルの利便性を高めつつ、使い勝手を向上させ、設置面積を小さくする。【解決手段】スタンド２に運搬用ハンドル３を介してモニタ５が回動自在に支持され、スタンド２に支持体６を介してテーブル７が取り付けられている。テーブル７は、モニタ５の背面側に立てた状態で格納自在となっている。テーブル７は、高さが調整自在であり、モニタ５の天面と面一に位置決め可能となっている。これにより、モニタ５を傾斜させてもテーブル７は傾かないので、テーブル７上の物品１０は不用意に滑り落ちない。テーブル７に物品１０を置かないときには、テーブル７をモニタ５の背面側に立てた状態で格納すれば、設置面積が小さくなる。テーブル７のみならずモニタ５の天面をも同時に載置面として利用すれば、テーブル７よりも大きい物品１０を置くことができる。【選択図】図２
2006350235.tif 000002
【特許請求の範囲】
【請求項１】
スタンドにモニタが回動自在に支持された平面ディスプレイであって、
前記スタンドにテーブルが取り付けられていることを特徴とする平面ディスプレイ。
【請求項２】
前記テーブルは、前記モニタの背面側に立てた状態で格納自在となっていることを特徴とする請求項１に記載の平面ディスプレイ。
【請求項３】
前記テーブルは、前記モニタの天面と面一に位置決め可能となっていることを特徴とする請求項１又は２に記載の平面ディスプレイ。
【請求項４】
前記テーブルは、高さが調整自在であることを特徴とする請求項１乃至３のいずれかに記載の平面ディスプレイ。
【請求項５】
前記モニタは、運搬用ハンドルを介して前記スタンドに取り付けられていることを特徴とする請求項１乃至４のいずれかに記載の平面ディスプレイ。
【請求項６】
前記モニタは、当該モニタの取付孔を利用して前記運搬用ハンドルに固定されていることを特徴とする請求項５に記載の平面ディスプレイ。
【請求項７】
前記取付孔は、ＶＥＳＡ規格に準拠していることを特徴とする請求項６に記載の平面ディスプレイ。
【請求項８】
前記スタンドと前記テーブルとの間には、支持体が介在していることを特徴とする請求項１乃至７のいずれかに記載の平面ディスプレイ。
【請求項９】
前記支持体は、昇降自在であることを特徴とする請求項８に記載の平面ディスプレイ。
【発明の詳細な説明】
【技術分野】
【０００１】
本発明は、薄型テレビジョン受像機、パーソナルコンピュータなどに用いられる平面ディスプレイに関するものである。
【背景技術】
【０００２】
この種の平面ディスプレイは、薄型であることが災いして、周辺機器やＤＶＤソフトウェアなどの物品をモニタの上側に置けない不便がある。
【０００３】
こうした不便を解消するため、モニタの背面に支持体をねじ止めし、この支持体にトレイを取り付ける方法が提案されている（例えば、特許文献１参照）。
【特許文献１】特開２００４−２５８９３４号公報
【発明の開示】
【発明が解決しようとする課題】
【０００４】
しかし、これでは次のような不都合があった。
【０００５】
第１に、トレイがモニタに固定されていることから、モニタを回動させて傾斜させると、それに伴ってトレイが傾き、トレイ上の物品が滑り落ちてしまう恐れがある。
【０００６】
第２に、物品を置かないときでもトレイがモニタの上方で水平に位置しており、しかも、このトレイがある程度の奥行きを持っている。そのため、トレイを取り付けることにより、設置面積（占有面積）が小さくて済むという平面ディスプレイの利点が薄れる。
【０００７】
本発明は、こうした不都合を解消することが可能な平面ディスプレイを提供することを目的とする。
【課題を解決するための手段】
【０００８】
まず、請求項１に係る平面ディスプレイの発明は、スタンドにモニタが回動自在に支持された平面ディスプレイであって、前記スタンドにテーブルが取り付けられていることを特徴とする。
また、請求項２に係る平面ディスプレイの発明は、前記テーブルは、前記モニタの背面側に立てた状態で格納自在となっていることを特徴とする。
また、請求項３に係る平面ディスプレイの発明は、前記テーブルは、前記モニタの天面と面一に位置決め可能となっていることを特徴とする。
また、請求項４に係る平面ディスプレイの発明は、前記テーブルは、高さが調整自在であることを特徴とする。
また、請求項５に係る平面ディスプレイの発明は、前記モニタは、運搬用ハンドルを介して前記スタンドに取り付けられていることを特徴とする。
また、請求項６に係る平面ディスプレイの発明は、前記モニタは、当該モニタの取付孔を利用して前記運搬用ハンドルに固定されていることを特徴とする。
また、請求項７に係る平面ディスプレイの発明は、前記取付孔は、ＶＥＳＡ規格に準拠していることを特徴とする。
また、請求項８に係る平面ディスプレイの発明は、前記スタンドと前記テーブルとの間には、支持体が介在していることを特徴とする。
また、請求項９に係る平面ディスプレイの発明は、前記支持体は、昇降自在であることを特徴とする。
【発明の効果】
【０００９】
本発明によれば、テーブルはスタンドに取り付けられているため、モニタを傾斜させてもテーブルは傾かない。その結果、テーブル上の物品が不用意に滑り落ちる事態を未然に防ぐことができ、使い勝手に優れる。
【００１０】
また、テーブルがモニタの背面側に立てた状態で格納自在となっていると、テーブルに物品を置かないときには、テーブルをモニタの背面側に立てた状態で格納することにより、設置面積が小さくて済むという平面ディスプレイの利点を活かすことができる。
【００１１】
さらに、テーブルがモニタの天面と面一に位置決め可能となっていると、テーブルのみならずモニタの天面をも同時に載置面として利用することにより、テーブルよりも大きい物品を置くことができる。
【発明を実施するための最良の形態】
【００１２】
以下、本発明の実施形態を図面に基づいて説明する。
【００１３】
＜第１の実施形態＞
図１は本発明に係る平面ディスプレイの第１の実施形態を示す正面図、図２は図１に示す平面ディスプレイの右側面図、図３は図１に示す平面ディスプレイの背面図、図４は図１に示す平面ディスプレイの平面図、図５は図１に示す平面ディスプレイのテーブルを格納した状態を示す背面図、図６は図５に示す平面ディスプレイの右側面図である。
【００１４】
平面ディスプレイ１は、図１に示すように、スタンド２を有しており、スタンド２には運搬用ハンドル３が、図２に示すように、軸心ＣＴ１を中心として矢印Ａ、Ｂ方向に回動自在に支持されている。運搬用ハンドル３にはモニタ５が、図３に示すように、その背面に形成されたＶＥＳＡ（Video Electronics Standard Association）規格に準拠した４個のねじ孔（取付孔）５ａを利用してねじ止めされている。したがって、ユーザは、運搬用ハンドル３を適宜回動させることにより、モニタ５を見やすい角度に傾けて使用することができる。
【００１５】
また、モニタ５の後方には、周辺機器やＤＶＤ（Digital Versatile Disc）ソフトウェアなどの物品１０を載置するためのテーブル（物置台）７が設けられており、テーブル７の後端には取っ手７ａが取り付けられている。このテーブル７は、使用時には、図２、図３および図４に示すように、モニタ５の天面と面一で水平に保持することができ、不使用時には、図５および図６に示すように、モニタ５の背面側に立てた状態で格納することができる。
【００１６】
すなわち、図２および図３に示すように、スタンド２にはＵ字形の支持体６が固定されており、支持体６にはテーブル７が、矢印Ｃ、Ｄ方向に進退自在に、かつ軸心ＣＴ２を中心として矢印Ｅ、Ｆ方向に回動自在に取り付けられている。この軸心ＣＴ２は、モニタ５の天面と同じ高さとなっている。さらに、支持体６には、テーブル７を水平状態で支持体６に固定するテーブル固定機構（図示せず）が組み込まれている。したがって、このテーブル固定機構によってテーブル７を水平に固定することにより、テーブル７をモニタ５の天面と面一で水平に保持することができる。また、この状態から、図６に想像線で示すように、取っ手７ａを把持し、テーブル７を矢印Ｄ方向に後退させた後、矢印Ｅ方向に９０°回動させて真下に落とし込むことにより、図６に実線で示すように、テーブル７をモニタ５の背面側に立てた状態で格納することができる。
【００１７】
なお、テーブル７は、図２に示すように、モニタ５から所定の距離だけ後退しているとともに、運搬用ハンドル３の上方に位置しているため、ユーザがモニタ５を傾けても、モニタ５や運搬用ハンドル３がテーブル７と干渉する恐れはない。
【００１８】
平面ディスプレイ１は以上のような構成を有するので、図１に示すように、周辺機器やＤＶＤソフトウェアなどの物品１０をテーブル７上、つまり平面ディスプレイ１の近傍に載置することができ、利便性に優れる。例えば、周辺機器の操作を円滑に行ったり、ＤＶＤソフトウェアを簡単に取り出したりすることが可能となる。
【００１９】
そして、テーブル７はモニタ５ではなくスタンド２に取り付けられているため、平面ディスプレイ１を使用する際にモニタ５を傾斜させたとしても、テーブル７が傾くことはない。その結果、テーブル７上の物品１０が不用意に滑り落ちる事態を未然に防ぐことができ、使い勝手に優れる。
【００２０】
また、テーブル７はモニタ５の背面側に立てた状態で格納自在となっているので、テーブル７に物品を置かないときには、テーブル７をモニタ５の背面側に立てた状態で格納すれば、設置面積が小さくて済むという平面ディスプレイ１の利点を活かすことができる。
【００２１】
さらに、テーブル７が水平になっている状態では、テーブル７はモニタ５の天面と面一になっているので、テーブル７のみならずモニタ５の天面をも同時に載置面として利用し、載置面積を拡大することができる。その結果、テーブル７よりも大きい物品１０を置くことができ、使い勝手が一層向上する。
【００２２】
＜第２の実施形態＞
図７は本発明に係る平面ディスプレイの第２の実施形態を示す正面図、図８は図７に示す平面ディスプレイの右側面図、図９は図７に示す平面ディスプレイの背面図、図１０は図７に示す平面ディスプレイの平面図、図１１は図７に示す平面ディスプレイのテーブルを格納した状態を示す背面図、図１２は図１１に示す平面ディスプレイの右側面図である。
【００２３】
平面ディスプレイ１は、図７に示すように、スタンド２を有しており、スタンド２には運搬用ハンドル３が、図８に示すように、軸心ＣＴ１を中心として矢印Ａ、Ｂ方向に回動自在に支持されている。運搬用ハンドル３にはモニタ５が、図９に示すように、その背面に形成されたＶＥＳＡ規格に準拠した４個のねじ孔（取付孔）５ａを利用してねじ止めされている。したがって、ユーザは、運搬用ハンドル３を適宜回動させることにより、モニタ５を見やすい角度に傾けて使用することができる。
【００２４】
また、モニタ５の後方には、周辺機器やＤＶＤソフトウェアなどの物品１０を載置するためのテーブル７が設けられている。このテーブル７は、使用時には、図８、図９および図１０に示すように、モニタ５の天面と面一で水平に保持することができ、不使用時には、図１１および図１２に示すように、モニタ５の背面側に立てた状態で格納することができる。
【００２５】
すなわち、スタンド２には、図８および図９に示すように、コの字形の支持体１６が軸心ＣＴ３を中心として矢印Ｇ、Ｈ方向に回動自在に取り付けられているとともに、この支持体１６を任意の傾斜角度でスタンド２に固定する支持体固定機構（図示せず）が組み込まれている。また、支持体１６の先端には、テーブル７が軸心ＣＴ４を中心として矢印Ｉ、Ｊ方向に回動自在に取り付けられており、このテーブル７の前端部近傍を下から支えるステー１１がスタンド２に立設されている。したがって、支持体１６の先端、つまり軸心ＣＴ４がモニタ５の天面と同じ高さとなるように支持体１６を回動させて前記支持体固定機構によって固定し、テーブル７をステー１１で支えることにより、テーブル７をモニタ５の天面と面一で水平に保持することができる。また、この状態から、図１２に想像線で示すように、テーブル７および支持体１６を畳み込むことにより、図１２に実線で示すように、テーブル７をモニタ５の背面側に立てた状態で格納することができる。
【００２６】
なお、テーブル７は、図８に示すように、モニタ５から所定の距離だけ後退しているとともに、運搬用ハンドル３の上方に位置しているため、ユーザがモニタ５を傾けても、モニタ５や運搬用ハンドル３がテーブル７と干渉する恐れはない。
【００２７】
平面ディスプレイ１は以上のような構成を有するので、図７に示すように、周辺機器やＤＶＤソフトウェアなどの物品１０をテーブル７上、つまり平面ディスプレイ１の近傍に載置することができ、利便性に優れる。例えば、周辺機器の操作を円滑に行ったり、ＤＶＤソフトウェアを簡単に取り出したりすることが可能となる。
【００２８】
そして、テーブル７はモニタ５ではなくスタンド２に取り付けられているため、平面ディスプレイ１を使用する際にモニタ５を傾斜させたとしても、テーブル７が傾くことはない。その結果、テーブル７上の物品１０が不用意に滑り落ちる事態を未然に防ぐことができ、使い勝手に優れる。
【００２９】
また、テーブル７はモニタ５の背面側に立てた状態で格納自在となっているので、テーブル７に物品を置かないときには、テーブル７をモニタ５の背面側に立てた状態で格納すれば、設置面積が小さくて済むという平面ディスプレイ１の利点を活かすことができる。
【００３０】
さらに、テーブル７が水平になっている状態では、テーブル７はモニタ５の天面と面一になっているので、テーブル７のみならずモニタ５の天面をも同時に載置面として利用し、載置面積を拡大することができる。その結果、図１０に示すように、テーブル７よりも大きい物品１０を置くことができ、使い勝手が一層向上する。
【００３１】
＜第３の実施形態＞
図１３は本発明に係る平面ディスプレイの第３の実施形態を示す正面図、図１４は図１３に示す平面ディスプレイの右側面図、図１５は図１３に示す平面ディスプレイの背面図、図１６は図１３に示す平面ディスプレイの平面図、図１７は図１３に示す平面ディスプレイのテーブルを格納した状態を示す背面図、図１８は図１７に示す平面ディスプレイの右側面図である。
【００３２】
平面ディスプレイ１は、図１３に示すように、スタンド２を有しており、スタンド２には運搬用ハンドル３が、図１４に示すように、軸心ＣＴ１を中心として矢印Ａ、Ｂ方向に回動自在に支持されている。運搬用ハンドル３にはモニタ５が、図１５に示すように、その背面に形成されたＶＥＳＡ規格に準拠した４個のねじ孔（取付孔）５ａを利用してねじ止めされている。したがって、ユーザは、運搬用ハンドル３を適宜回動させることにより、モニタ５を見やすい角度に傾けて使用することができる。
【００３３】
また、モニタ５の後方には、周辺機器やＤＶＤソフトウェアなどの物品１０を載置するためのテーブル７が設けられており、テーブル７は高さが調整自在となっている。このテーブル７は、使用時には、図１４、図１５および図１６に示すように、モニタ５の天面と面一で、或いはモニタ５の天面より高い位置で水平に保持することができ、不使用時には、図１７および図１８に示すように、モニタ５の背面側に立てた状態で格納することができる。
【００３４】
すなわち、スタンド２には、図１４および図１５に示すように、支持体２６が昇降自在に取り付けられており、支持体２６の上端部には、テーブル７が軸心ＣＴ５を中心として矢印Ｋ、Ｌ方向に回動自在に取り付けられている。さらに、支持体２６とテーブル７の後端部近傍との間には中折れ式のステー２１が取り付けられている。したがって、図１４に想像線で示すように、支持体２６を適宜昇降させて所望の高さに位置決めした後、ステー２１を伸ばしてテーブル７を支持することにより、テーブル７をモニタ５の天面と面一で、或いはモニタ５の天面より高い位置で水平に保持することができる。また、この状態から、図１８に想像線で示すように、ステー２１を折り畳むことにより、図１８に実線で示すように、テーブル７をモニタ５の背面側に立てた状態で格納することができる。
【００３５】
なお、テーブル７は、図１４に示すように、モニタ５から所定の距離だけ後退しているとともに、運搬用ハンドル３の上方に位置しているため、ユーザがモニタ５を傾けても、モニタ５や運搬用ハンドル３がテーブル７と干渉する恐れはない。
【００３６】
平面ディスプレイ１は以上のような構成を有するので、図１３に示すように、周辺機器やＤＶＤソフトウェアなどの物品１０をテーブル７上、つまり平面ディスプレイ１の近傍に載置することができ、利便性に優れる。例えば、周辺機器の操作を円滑に行ったり、ＤＶＤソフトウェアを簡単に取り出したりすることが可能となる。
【００３７】
そして、テーブル７はモニタ５ではなくスタンド２に取り付けられているため、平面ディスプレイ１を使用する際にモニタ５を傾斜させたとしても、テーブル７が傾くことはない。その結果、テーブル７上の物品１０が不用意に滑り落ちる事態を未然に防ぐことができ、使い勝手に優れる。
【００３８】
また、テーブル７はモニタ５の背面側に立てた状態で格納自在となっているので、テーブル７に物品を置かないときには、テーブル７をモニタ５の背面側に立てた状態で格納すれば、設置面積が小さくて済むという平面ディスプレイ１の利点を活かすことができる。
【００３９】
さらに、テーブル７が水平になっている状態では、テーブル７はモニタ５の天面と面一になっているので、テーブル７のみならずモニタ５の天面をも同時に載置面として利用し、載置面積を拡大することができる。その結果、テーブル７よりも大きい物品１０を置くことができ、使い勝手が一層向上する。
【００４０】
しかも、テーブル７は高さが調整自在となっているため、物品１０の種類や使用頻度などの状況に応じて物品１０を任意の高さに置くことができる。
【産業上の利用可能性】
【００４１】
本発明は、薄型テレビジョン受像機、パーソナルコンピュータなどに用いられる平面ディスプレイに広く適用することができる。
【図面の簡単な説明】
【００４２】
【図１】本発明に係る平面ディスプレイの第１の実施形態を示す正面図である。
【図２】図１に示す平面ディスプレイの右側面図である。
【図３】図１に示す平面ディスプレイの背面図である。
【図４】図１に示す平面ディスプレイの平面図である。
【図５】図１に示す平面ディスプレイのテーブルを格納した状態を示す背面図である。
【図６】図５に示す平面ディスプレイの右側面図である。
【図７】本発明に係る平面ディスプレイの第２の実施形態を示す正面図である。
【図８】図７に示す平面ディスプレイの右側面図である。
【図９】図７に示す平面ディスプレイの背面図である。
【図１０】図７に示す平面ディスプレイの平面図である。
【図１１】図７に示す平面ディスプレイのテーブルを格納した状態を示す背面図である。
【図１２】図１１に示す平面ディスプレイの右側面図である。
【図１３】本発明に係る平面ディスプレイの第３の実施形態を示す正面図である。
【図１４】図１３に示す平面ディスプレイの右側面図である。
【図１５】図１３に示す平面ディスプレイの背面図である。
【図１６】図１３に示す平面ディスプレイの平面図である。
【図１７】図１３に示す平面ディスプレイのテーブルを格納した状態を示す背面図である。
【図１８】図１７に示す平面ディスプレイの右側面図である。
【符号の説明】
【００４３】
１……平面ディスプレイ
２……スタンド
３……運搬用ハンドル
５……モニタ
５ａ……ねじ孔（取付孔）
６、１６、２６……支持体
７……テーブル
１０……物品
１１、２１……ステー
【図１】
2006350235.tif 000003
【図２】
2006350235.tif 000004
【図３】
2006350235.tif 000005
【図４】
2006350235.tif 000006
【図５】
2006350235.tif 000007
【図６】
2006350235.tif 000008
【図７】
2006350235.tif 000009
【図８】
2006350235.tif 000010
【図９】
2006350235.tif 000011
【図１０】
2006350235.tif 000012
【図１１】
2006350235.tif 000013
【図１２】
2006350235.tif 000014
【図１３】
2006350235.tif 000015
【図１４】
2006350235.tif 000016
【図１５】
2006350235.tif 000017
【図１６】
2006350235.tif 000018
【図１７】
2006350235.tif 000019
【図１８】
2006350235.tif 000020